(57)【要約】【課題】バックアップ用電池を衝撃や振動から保護して炊飯器としての信頼性の向上を目的とする。【解決手段】上面が開口した本体内に着脱自在に収納される磁性材の鍋と、前記本体を開閉自在に覆う蓋と、前記鍋を誘導発熱させる誘導コイルと、炊飯動作に連係して各種報知を行う報知手段と、前記誘導コイル、報知手段などを制御する制御手段と、補助電源用のコイン型の電池７とを具備し、前記電池７は制御手段の基板５にシリコンなどからなる緩衝手段２２を介して取着したものである。したがって、衝撃などが加わってもその力は緩衝手段２２で吸収されることとなる。【選択図】図３
2009219736.tif 000002
【特許請求の範囲】
【請求項１】
上面が開口した本体内に着脱自在に収納される鍋と、前記本体を開閉自在に覆う蓋と、前記鍋を加熱する加熱手段と、炊飯動作に連係して各種報知を行う報知手段と、前記加熱手段、報知手段などを制御する制御手段と、補助電源用のコイン型の電池とを具備し、前記電池は制御手段の基板に緩衝手段を介して取着した炊飯器。
【請求項２】
電池の端子部を基板に半田付けするとともに、前記電池と基板との間に緩衝手段を挟み込んだ請求項１記載の炊飯器。
【請求項３】
緩衝手段がシリコンである請求項１または２記載の炊飯器。
【請求項４】
緩衝手段であるシリコンを基板の所定部位に予め配置しておき、その後、電池の端子部を基板に半田付けするようにした請求項１または２記載の炊飯器。
【請求項５】
緩衝機能を有するホルダを基板に配置し、このホルダで電池の上部を押圧した請求項１記載の炊飯器。
【請求項６】
基板を蓋の内部に配備した請求項１〜５いずれか１項記載の炊飯器。
【発明の詳細な説明】
【技術分野】
【０００１】
本発明は、電源バックアップ用のコイン型の電池を内蔵した炊飯器に関するものである。
【背景技術】
【０００２】
近年、炊飯器においては時計を持った予約機能付きのものが主流になっており、電源コンセントが抜かれても時計機能が動き続けるように電池を制御基板に取着内蔵し、電源バックアップができるようになっている（例えば、特許文献１参照）。
【特許文献１】特開昭６３−１１１８２１号公報
【発明の開示】
【発明が解決しようとする課題】
【０００３】
このような炊飯器においては、制御基板に伝わる振動や衝撃によって電池の端子部に負荷がかかり、これが折れたり、電池と端子部との溶接が外れたりするといった課題があった。
【課題を解決するための手段】
【０００４】
前記従来の課題を解決するために、本発明の炊飯器は、上面が開口した本体内に着脱自在に収納される鍋と、前記本体を開閉自在に覆う蓋と、前記鍋を加熱する加熱手段と、炊飯動作に連係して各種報知を行う報知手段と、前記加熱手段、報知手段などを制御する制御手段と、補助電源用のコイン型の電池とを具備し、前記電池は制御手段の基板に緩衝手段を介して取着したものであり、前記緩衝手段によって電池への振動を緩和したものである。
【発明の効果】
【０００５】
本発明の炊飯器は、基板に実装されているコイン型電池に対する振動を低減することができ、耐久性に優れた信頼性の高い炊飯器が実現できるものである。
【発明を実施するための最良の形態】
【０００６】
本発明は、上面が開口した本体内に着脱自在に収納される鍋と、前記本体を開閉自在に覆う蓋と、前記鍋を加熱する加熱手段と、炊飯動作に連係して各種報知を行う報知手段と、前記加熱手段、報知手段などを制御する制御手段と、補助電源用のコイン型の電池とを具備し、前記電池は制御手段の基板に緩衝手段を介して取着した。
【０００７】
したがって、衝撃などが加わった場合に緩衝手段がこれを緩和し、電池と基板との接続を良好に保つ。
【０００８】
具体的には、電池の端子部を基板に半田付けするとともに、前記電池と基板との間に緩衝手段を挟み込む構成が考えられ、また、緩衝手段としてはシリコンを用いるのが一般的であろう。
【０００９】
そして、緩衝手段としてシリコンを用いる場合には、基板の所定部位にシリコンを予め配置しておき、その後、電池の端子部を基板に半田付けするのが好ましい。
【００１０】
また、緩衝機能を有するホルダを基板に配置し、このホルダで電池の上部を押圧することも考えられる。
【００１１】
蓋の内部に基板を配備したものに用いれば、前記蓋の、特に、閉成時に加わる衝撃に対して有効である。
【００１２】
以下、本発明の実施の形態について、図面を参照しながら説明する。なお、この実施の形態によって本発明が限定されるものではない。
【００１３】
（実施の形態１）
図１において、炊飯器の本体１内には着脱自在な鍋２が収納されており、また、この本体１の上方解放部は蓋３で開閉されるようにしてある。
【００１４】
前記鍋２は磁性材で構成されており、誘導コイル４を付勢することで誘導発熱し、内容物である水、米を加熱するものである。
【００１５】
蓋３内に配置した基板５の上には液晶表示素子６、コイン型の電池７が半田付けされて、実装されている。
【００１６】
図２において、商用電源８から交流電源が供給され、整流素子であるダイオードブリッジ９によって整流される。平滑コンデンサ１０、共振コンデンサ１１、スイッチング素子１２、誘導コイル４よりなるインバータ回路により、誘導発熱のための高周波電力を発生させる。電源ＩＣ１３は動作のための電源を各回路に供給している。
【００１７】
インバータ回路はドライブＩＣ１４と誘導発熱制御用ＩＣ１５によって駆動されている。マイクロコンピュータ１６によって前記誘導発熱制御用ＩＣ１５を制御することにより、鍋２の発熱を制御して炊飯や保温を行い、ＬＣＤ１７の表示の制御も行っている。
【００１８】
停電などで商用電源８からの交流電源供給が途絶えた時は、電池７から電源が供給され、マイクロコンピュータ１６は停電時の処理を行う。
【００１９】
前記基板５へのコイン型の電池７の取着構成を図３〜５で説明する。
【００２０】
電池７には一対の端子部１８、１９が形成してある。これら端子部１８、１９は基板５の所定箇所に挿通され、半田２０、２１で接続・固定されている。
【００２１】
そして、前記電池７と基板５との間にシリコンからなる緩衝手段２２が介在してある。前記シリコンからなる緩衝手段２２は基板５の上面の電池記号表示部２３と対応して予め塗布されており、したがって、基板５の電池記号表示部２３に電池７を半田付けすると、必然的にこれら基板５と電池７の間に緩衝手段２２が位置することとなる。
【００２２】
前記の構成において、蓋３の開閉などで基板５上の電池７は振動や衝撃を受けるが、シリコンよりなる緩衝手段２２で前記振動や衝撃が緩和されるので、その端子部１８、１９などに過負荷が加わらず、その結果、バックアップ用の電源を確保できることとなる。
【００２３】
本実施の形態では緩衝手段２２としてシリコンを使用したが、ウレタンの使用も考えられ、要は、柔軟性のある材料であれば使用可能であることは言うまでもない。
【００２４】
（実施の形態２）
図６、７は本発明の実施の形態２を示し、先の実施の形態１と異なる点は、板ばねなどからなるホルダ２４を脚部２５を介して基板５に設けて、電池７の上面にそのホルダ２４を弾圧させたものである。
【００２５】
なお、図３、４と同構成のものについては同一符号を付し、その具体的説明は実施の形態１のものを援用する。
【００２６】
前記構成において、蓋３の開閉などで基板５上の電池７は振動や衝撃を受けるが、板ばねなどからなるホルダ２４の弾性変形で前記振動や衝撃が緩和されるので、その端子部１８、１９などに過負荷が加わらず、その結果、バックアップ用の電源を確保できることとなる。
【００２７】
（実施の形態３）
図８は本発明の実施の形態３を示すもので、炊飯器の本体１に内設したもう一つの基板２６に電池７を取着したものである。
【００２８】
具体的な取着構成は前記した図３〜７と同じで、取着対象が基板２６に置き換わっただけである。炊飯器の全体構成は図１とほぼ同じで、具体的説明は実施の形態１のものを援用する。
【００２９】
本実施の形態では、調理台に炊飯器を置くときなどに衝撃が加わった場合などに有効であり、バックアップ用の電源を確保できることとなる。
【産業上の利用可能性】
【００３０】
以上のように本発明にかかる炊飯器によれば、基板に実装されているコイン型電池に対する振動を低減することができて耐久性と、信頼性の向上が図れるものであり、バックアップ用のコイン型電池を基板上に装備した機器に広く利用可能である。
【図面の簡単な説明】
【００３１】
【図１】本発明の実施の形態１を示す炊飯器の断面図
【図２】同炊飯器の回路図
【図３】同炊飯器の電池装着部の断面図
【図４】同電池装着部の上面図
【図５】同電池装着部と対応する基板の一部拡大平面図
【図６】本発明の実施の形態２を示す炊飯器の電池装着部の断面図
【図７】同電池装着部の上面図
【図８】本発明の実施の形態３を示す炊飯器の断面図
【符号の説明】
【００３２】
１  炊飯器の本体
２  鍋
３  蓋
４  加熱手段（誘導コイル）
５、２６  基板
６  報知手段（液晶表示素子）
７  電池
１８、１９  端子部
２０、２１  半田
２２  緩衝手段
２４  ホルダ
【図２】
2009219736.tif 000003
【図３】
2009219736.tif 000004
【図４】
2009219736.tif 000005
【図５】
2009219736.tif 000006
【図６】
2009219736.tif 000007
【図７】
2009219736.tif 000008
【図１】
2009219736.tif 000009
【図８】
2009219736.tif 000010